(57)【要約】      （修正有）【課題】残り少なくなった収容物でも容易に取り出すことができ、蓋部を開閉する時、使用者に驚きや楽しい印象を与えることができる包装箱を提供する。【解決手段】包装箱は、天面板２２、外前面板２０、内前面板２８、底面板２６及び背面板２４で成る筒体を備える。折罫線３２の途中の２箇所を起点とする開封用破断線３８に囲まれた蓋部１６が、天面板２２及び外前面板２０に跨って設けられる。内前面板２８の底面板２６側の端部から一方向に順に連接された補助底板４８、補助背板５０及び補助天板５２を備える。組み立て状態で、補助底板４８は、底面板２６の内面側に重なり、補助背板５０は、背面板２４の内面側に重なるか又は対向する。補助天板５２は、天面板２２の内面側に重なるか又は対向し、補助天板５２の補助背板５０と反対側の端部が、天面板２２の内面側に糊付けされる。４つの板２８、４８、５０、５２に囲まれた内側が収容部となる。【選択図】図２
0003235369.tif 000002
【実用新案登録請求の範囲】
【請求項１】
天面板、前面板、底面板及び背面板で成る筒体と、前記筒体の両端を閉鎖する一対の側壁部とを備え、前記筒体には、前記天面板の前記背面板との境界部分の２箇所を起点とする開封用破断線で囲まれた蓋部が、前記天面板の内側に又は前記天面板と前記前面板との内側に跨るように設けられ、前記蓋部の前記背面板と反対側の端部が開封部となる包装箱であって、
前記前面板の前記底面板側の端部から一方向に順に連接された補助底板、補助背板及び補助天板を備え、組み立て状態で、前記補助底板は、前記底面板の内面側に重なり、前記補助背板は、前記背面板の内面側に重なるか又は対向し、前記補助天板は、前記天面板の内面側に重なるか又は対向し、前記補助天板の前記補助背板と反対側の端部が、前記蓋部の内面側に糊付けされ、前記前面板、補助底板、補助背板及び補助天板で囲まれた内側が、収容物が入れられる収容部となり、
開封する時は、前記開封部を指で引き上げることにより、前記開封用破断線が破断し、前記筒体及び前記側壁部が立体構造を維持しつつ、前記蓋部が開閉可能になり、前記蓋部が開かれると、前記補助天板及び前記補助背板が前記蓋部に引っ張られて上向きに移動し、前記補助底板が前記底面板の上方に斜めに浮き上がることを特徴とする包装箱。
【請求項２】
前記前面板は、内前面板及び外前面板により構成され、前記蓋部は、前記天面板及び前記外前面板に跨るように設けられ、前記開封部は、前記外前面板の内側に舌片状に設けられ、前記内前面板の内側に、再封用係合部が切り込み線により設けられ、
再封する時は、前記蓋部を閉じて、前記開封部を前記再封用係合部に差し込むことにより、前記開封部が前記再封用係合部に係合し、前記蓋部が閉じた状態に保持される請求項１記載の包装箱。
【請求項３】
前記補助天板の内側に、差し込まれた添付文書を保持する一対のスリットが設けられている請求項１又は２記載の包装箱。
【請求項４】
前記補助底板、前記補助背板及び前記補助天板の中の少なくとも１つの板の内面に、情報表示がされている請求項１乃至３のいずれか記載の包装箱。
【考案の詳細な説明】
【技術分野】
【０００１】
本考案は、四角形の筒体の両端が２つの側壁部で閉鎖され、天面板を開いて収容物を出し入れする包装箱に関する。
【背景技術】
【０００２】
従来、例えば特許文献１に開示されているように、１枚の箱体形成片から形成され、天面と内天面とからなる二重天面を有したカートンであって、天面には、切取線を切り取って成る蓋部を有し、内天面には前記蓋部と略同形状の内蓋部を有し、蓋部及び内蓋部を開封した後、内蓋部を背面の方向の折り込むことによって、内蓋部の表示を前面側から視認可能に配置することができるカートンがあった。
【０００３】
このカートンは、開封した後、内蓋部の表示が外部から視認可能に配置され、使用者に驚きや楽しい印象を与えることができる。そして、内蓋部の表示は、構造上、内蓋部の表面側（箱体形成片の表面側）に設ければよいため、他の板の表示と一緒に印刷できるという特徴がある。
【先行技術文献】
【特許文献】
【０００４】
【特許文献１】特開２００７−１７６５８０号公報
【考案の概要】
【考案が解決しようとする課題】
【０００５】
特許文献１のカートンを含む従来の包装箱は、医療用の錠剤を収容したＰＴＰシート等が複数枚重ねて収容される場合があり、残りの枚数が少なくなった時、底部のシート状収容物が取り出しにくいという問題があった。
【０００６】
本考案は、上記背景技術に鑑みて成されたものであり、残り少なくなった収容物でも容易に取り出すことができ、蓋部を開閉する時、使用者に驚きや楽しい印象を与えることができる包装箱を提供することを目的とする。
【課題を解決するための手段】
【０００７】
本考案は、天面板、前面板、底面板及び背面板で成る筒体と、前記筒体の両端を閉鎖する一対の側壁部とを備え、前記筒体には、前記天面板の前記背面板との境界部分の２箇所を起点とする開封用破断線で囲まれた蓋部が、前記天面板の内側に又は前記天面板と前記前面板との内側に跨るように設けられ、前記蓋部の前記背面板と反対側の端部が開封部となる包装箱であって、
前記前面板の前記底面板側の端部から一方向に順に連接された補助底板、補助背板及び補助天板を備え、組み立て状態で、前記補助底板は、前記底面板の内面側に重なり、前記補助背板は、前記背面板の内面側に重なるか又は対向し、前記補助天板は、前記天面板の内面側に重なるか又は対向し、前記補助天板の前記補助背板と反対側の端部が、前記蓋部の内面側に糊付けされ、前記前面板、補助底板、補助背板及び補助天板で囲まれた内側が、収容物が入れられる収容部となり、
開封する時は、前記開封部を指で引き上げることにより、前記開封用破断線が破断し、前記筒体及び前記側壁部が立体構造を維持しつつ、前記蓋部が開閉可能になり、前記蓋部が開かれると、前記補助天板及び前記補助背板が前記蓋部に引っ張られて上向きに移動し、前記補助底板が前記底面板の上方に斜めに浮き上がる包装箱である。
【０００８】
前記前面板は、内前面板及び外前面板により構成され、前記蓋部は、前記天面板及び前記外前面板に跨るように設けられ、前記開封部は、前記外前面板の内側に舌片状に設けられ、前記内前面板の内側に、再封用係合部が切り込み線により設けられ、再封する時は、前記蓋部を閉じて、前記開封部を前記再封用係合部に差し込むことにより、前記開封部が前記再封用係合部に係合し、前記蓋部が閉じた状態に保持される構成にすることが好ましい。
【０００９】
前記補助天板の内側に、差し込まれた添付文書を保持する一対のスリットが設けられていてもよい。また、前記補助底板、前記補助背板及び前記補助天板の中の少なくとも１つの板の内面に、情報表示がされていてもよい。
【考案の効果】
【００１０】
本考案の包装箱は、構成がシンプルで容易に組み立てることができ、開封して蓋部を開くと、収容物が補助底板に載ってせり上がってくるので、残り少なくなった収容物でも容易に取り出すことができる。
【００１１】
さらに、蓋部を開くと、補助底板、補助背板及び補助天板が外から視認しやすい位置に移動するので、特定の板に演出用の絵柄等を表示することによって、使用者に驚きや楽しい印象を与えることができる。また、収容物が医療用の薬剤の場合、服薬する時の注意事項等を表示することによって、服用者に注意を促すことができる。補助底板、補助背板及び補助天板の表示は、各板の表面側（箱体形成片の表面側）に設ければよいので、他の板の表示と一緒に印刷できる。
【図面の簡単な説明】
【００１２】
【図１】本考案の包装箱の一実施形態の組み立て状態を示す斜視図（ａ）、開封して蓋部を開いた状態を示す斜視図（ｂ）である。
【図２】この実施形態の包装箱を展開した箱体形成片を裏面側から見た平面図である。
【図３】この実施形態の包装箱の組み立て工程を順に示す平面図（ａ）、（ｂ）である。
【図４】この実施形態の包装箱の組み立て工程を順に示す平面図（ａ）、（ｂ）である。
【図５】この実施形態の包装箱の組み立て状態を示す正面図（ａ）、Ａ−Ａ断面図（ｂ）、Ｂ−Ｂ断面図（ｃ）である。
【図６】この実施形態の包装箱を開封して蓋部を開いた状態を示すＡ−Ａ断面図である。
【図７】この実施形態の包装箱の蓋部を開いた後、添付書類を補助天板５２に保持させた状態を示すＡ−Ａ断面図（ａ）、蓋部を閉じて再封した状態を示すＡ−Ａ断面図（ｂ）である。
【考案を実施するための形態】
【００１３】
以下、本考案の包装箱の一実施形態について、図面に基づいて説明する。この実施形態の包装箱１０は、収容物SBと添付書類TSとが包装され、図１（ａ）に示すように、組み立て状態で、四角形の筒体１２の両端が２つの側壁部１４ａ，１４ｂで閉鎖された箱体になる。そして、図１（ｂ）に示すように、筒体１２の一部である蓋部１６を大きく開くことによって、中の収容物SB及び添付書類TS（図示せず）が出し入れ可能になる。
【００１４】
包装箱１０は、厚紙等で成る一枚の箱体形成片１８を組み立てることによって形成される。箱体形成片１８は、図２に示すように、順に一列に連接された外前面板２０、天面板２２、背面板２４、底面板２６及び内前面板２８を有し、互いに平行な折罫線３０，３２，３４，３６で各々区切られている。この５つの板２０，２２，２４，２６，２８は、各々の外形が略長方形で、連接方向と直角な幅方向の長さがほぼ等しく、連接方向の長さは、外前面板２０、背面板２４及び内前面板２８が短くて互いにほぼ等しく、天面板２２及び底面板２６が長くて互いにほぼ等しい。
【００１５】
外前面板２０及び天面板２２の内側には、折罫線３２（天面板２０と背面板２４との境界部分）の途中の２箇所を起点とする開封用破断線３８で囲まれた蓋部４０が設けられている。蓋部４０は、外前面板２０の内側を連接方向に横切る蓋領域４２ａと、天面板２２の内側を連接方向に横切る蓋領域２２ａとで構成され、蓋領域２０ａの、天面板２２と反対側の端部が、舌片状の開封部４２になっている。以下、外前面板２０の中の、蓋領域２０ａ以外の領域を糊付け領域２０ｂと称し、天面板２２の中の、蓋領域２２ａ以外の領域（４つの筋交いの部分）を本体領域２２ｂと称する。
【００１６】
また、内前面板２８のほぼ中央に、再封用係合部４４が円弧状の切り込み線により設けられている。再封用係合部４４は、再封する時、舌片状の開封部４２が差し込まれる部分である。
【００１７】
内前面板２８の連接方向の端部には、位置決め板４６、補助底板４８、補助背板５０及び補助天板５２が順に一列に連接され、折罫線３６と平行な折罫線５４，５６，５８，６０で各々区切られている。
【００１８】
位置決め板４６は、外形が略長方形で、連接方向の長さが内前面板２８とほぼ等しい。位置決め板４６は、組み立て状態で内前面板２８に重なって糊付けされ、補助底板４８の折罫線５６側の端部を、底面板２６の折罫線３６側の端部に近接するように位置決めする働きをする。位置決め板４６の中央部には、略台形状の透孔４６ａが設けられている。透孔４６ａは、位置決め板４６が内前面板２８に重なった時、位置決め板４６が再封用係合部４４とその近傍の領域に重ならないようにするために設けられている。再封用係合部４４に開封部４２が差し込まれる動作の障害にならないようにするためである。
【００１９】
補助底板４８は、外形が略長方形で、連接方向の長さが底面板２６の約3/4程度、連接方向と直角な幅方向の長さが底面板２６の約4/5程度に設定されている。補助背板５０は、外形が略長方形で、連接方向の長さが背面板２４とほぼ同じか僅かに短く、連接方向と直角な幅方向の長さが補助底板４８とほぼ同じに設定されている。
【００２０】
補助天板５２は、長方形の一角部を斜めに切り欠いた変則的な長方形で、連接方向の長さは補助底板４８とほぼ同じである。補助天板５２の内側には、折罫線６０とほぼ平行な一対の折罫線６２と、折罫線６２の内側の端部同士を連結する円弧状の切り込み線６４とが設けられており、補助天板５２は、この折罫線６２及び切り込み線６４によって本体領域５２ａ（折罫線６０を介して補助背板５０に連続する領域）と糊付け領域５２ｂ（折罫線６０からから離れた領域）とに区切られている。さらに、本体領域５２ａの内側に、折罫線６０に対してほぼ直角に延びる一対のスリット６６が、所定の間隔を空けて設けられている。スリット６６は、収容物SBの添付書類TS（例えば取扱説明書）が差し込まれ、添付書類TSを保持するためのものである。
【００２１】
その他、外前面板２０、天面板２２、背面板２４及び底面板２６は、図２における上側の端部に、一方の側壁部１４ａを構成する複数の部材が延設され、下側の端部に、他方の側壁部１４ｂを構成する複数の部材が延設されている。以下、これらについて順に説明する。
【００２２】
外前面板２０は、上側の端部に台形状のサイドフラップ６８が延設され、折罫線７０で外前面板２０と区切られている。また、下側の端部にサイドフラップ６８と同様のサイドフラップ７２が延設され、折罫線７４で外前面板２０と区切られている。
【００２３】
天面板２２は、上側の端部に略長方形の外壁片７６が延設され、折罫線７８で天面板２２と区切られている。外壁片７６の延出長さは、外前面板２０や背面板２４の連接方向の長さとほぼ同じか僅かに短い。また、下側の端部に、外壁片７６と同様の外壁片８０が延設され、折罫線８２で天面板２２と区切られている。
【００２４】
背面板２４は、上側の端部に台形状のサイドフラップ８４が延設され、折罫線８６で背面板２４と区切られている。また、下側の端部に、サイドフラップ８４と同様のサイドフラップ８８が延設され、折罫線９０で背面板２４と区切られている。
【００２５】
底面板２６の上側の端部には、略長方形の内壁片９２が延設され、折罫線９４で底面板２６と区切られている。内壁片９２の延出長さは、外前面板２０や背面板２４の連接方向の長さよりも短い。また、下側の端部に、内壁片９２と同様の内壁片９６が延設され、折罫線９８で底面板２６と区切られている。
【００２６】
次に、包装箱１０の組み立て方法の一例を説明する。ここでは、図２に示す箱体形成片１８の各折罫線の折り曲げ方について、表面が凸になる折り方を正折り、裏面が凸になる折り方を逆折りと称する。
【００２７】
まず、位置決め板４６の裏面の、透孔４６ａの両側の位置に糊１００を塗布した後、図３（ａ）に示すように、折罫線５４を正折りして位置決め板４６、補助底板４８、補助背板５０及び補助天板５２を天面板２２、背面板２４、底面板２６及び内前面板２８に重ね、位置決め板４６を内前面板２８の裏面に糊付けする。この状態で、内前面板２８の再封用係合部４４は、位置決め板４６の透孔４６ａの中にほぼ収まり、位置決め板４６と重ならない。さらに、図３（ｂ）に示すように、折罫線５８を逆折りして補助背板５０及び補助天板５２を位置決め板４６及び補助底板４８に重ね、補助天板５２の糊付け領域５２ｂの裏面に糊１０２を塗布する。
【００２８】
糊付け領域５２ｂに糊１０２を塗布すると、図４（ａ）に示すように、折罫線３４を正折りして補助背板５０及び補助天板５２を天面板２２及び背面板２４に重ね、糊付け領域５２ｂを天面板２２の蓋領域２０ａの裏面（折罫線３０に近い端部）に糊付けする。
【００２９】
そして、外前面板２０の糊付け領域２０ｂの裏面に糊１０４を塗布した後、図４（ｂ）に示すように、外前面板２０を折罫線３０で正折りして内前面板２８に重ね、糊付け領域２０ｂを内前面板２８の表面（再封用係合部４４と重ならない位置）に糊付けする。箱体形成片１８は、この折り畳み状態で包装箱１０の製造工場等から出荷される。
【００３０】
次に、収容物SB及び添付書類TSを包装する工場等において、折罫線３０，３２，３４，３６を各々９０度に正折りし、四角形の筒体１２を形成する。この時、内前面板２８と位置決め板４６とが糊付けされ、補助天板５２の糊付け領域５２ｂと天面板２２とが糊付けされているので、自動的に、折罫線５６，５８，６０が各々９０度に逆折りされる。そして、筒体１２の内側に、位置決め板４６，補助底板４８、補助背板５０及び補助天板５２で成る小さい筒体が形成され、この小さい筒体の内側の空間が、収容物SBが入れられる収容部１０６となる。
【００３１】
その後、筒体１２の一端部を閉鎖するため、サイドフラップ７２，８８を折罫線７４，９０で各々９０度に正折りし、内壁片９６を折罫線９８で９０度に正折りし、内壁片９６の表面に糊を塗布した後、外壁片８０を折罫線８２で９０度に正折りし、外壁片８０を内壁片９６に糊付けする。これで筒体１２の一端部が側壁部１４ｂで閉鎖され、反対側の開放している端部から、収容部１０６の中に収容物SBと添付書類TSを重ねるように入れる。
【００３２】
収容物SB及び添付書TSを入れると、筒体１２の他方の端部を閉鎖するため、サイドフラップ６８，８４を折罫線７０，８６で各々９０度に正折りし、内壁片９２を折罫線９４で９０度に正折りし、内壁片９２の表面に糊を塗布した後、外壁片７６を折罫線７８で９０度に正折りし、外壁片７６を内壁片９２に糊付けする。これで筒体１２の他端部も側壁部１４ａで閉鎖され、図１（ａ）、図５（ａ）に示す組み立て状態となる。
【００３３】
組み立て状態の包装箱１０の内部構造は、図５（ｂ）、（ｃ）に示すように、外前面板２０及び内前面板２８が一体になって前面板が形成され、この前面板の底面板２６側の端部に、補助底板４８の位置決め板４６側の端部（補助背板５０と反対側の端部）が位置決めされる。そして、補助底板４８が底面板２６の上面にほぼ重なり、補助背板５０が立ち上がって背面板２４の内面に対向し、補助天板５２（本体領域５２ａ及び糊付け領域５２ｂ）が横向きになって天面板２２の内面にほぼ重なる。そして、前面板（外前面板２０及び内前面板２８）、補助底板４８、補助背板５０及び補助天板５２に囲まれた内側に収容部１０６が形成され、その中に収容物SB及び添付書類TSが入れられている。
【００３４】
包装箱１０を開封する時は、外前面板２０の開封部４２を指で摘まんで引き上げ、開封用破断線３８を破断させる。すると、外側面板２０の蓋領域２０ａが糊付け領域２０ａから切り離され、天面板２２の蓋領域２２ａが本体領域２２ｂから切り離され、蓋領域２０ａ及び蓋領域２２ｂで成る蓋部１６が開閉可能になる。そして、図６及び図１（ａ）に示すように、蓋部１６を大きく引き上げることによって、筒体１２及び側壁部１４ａ，１４ｂが立体構造を維持しつつ、筒体１２の天面を広く開放させることができる。
【００３５】
蓋部１６が引き上げると、天面板２２の蓋領域２２ａに糊付けられた補助天板５２及び補助背板５０が蓋部１６に引っ張られて上向きに移動し、補助底板４８が底面板２６の上方に斜めに浮き上がり、収容物SB及び添付書類TSが補助底板４８に載ってせり上がってくる。したがって、使用者は、収容物SB及び添付書類TSを容易に取り出すことができる。
【００３６】
包装箱１０を再封する時は、図７（ａ）に示すように、収容物SBは元の収容部１０６に戻し、添付書類TSは補助天板５２の一対のスリット６６に差し込んで保持させることが好ましい。そして、図７（ｂ）に示すように、蓋部１６を開封前の位置に戻して開放部分を閉じて、開封部４２を内前面板２８の再封用係合部４４に差し込むと、開封部４４が再封用係合部４４に係合し、蓋部１６が閉じた状態に保持される。
【００３７】
再封した蓋部１６は、その後も繰り返し開閉することができ、開封部４２を引き上げて再び蓋部１６を開くと、図７（ａ）に示す状態に戻り、収容物SBを添付書類TSに邪魔されずに簡単に取り出すことができる。
【００３８】
以上説明したように、包装箱１０は、構成がシンプルで容易に組み立てることができ、開封して蓋部１６を開くと、収容物SBが補助底板４８に載ってせり上がってくるので、残り少なくなった収容物SBでも容易に取り出すことができる。
【００３９】
また、蓋部１６を開くと、補助底板４８、補助背板５０及び補助天板５２が外から視認しやすい位置に移動するので、特定の板に演出用の絵柄等を表示することによって、使用者に驚きや楽しい印象を与えることができる。また、収容物SBが医療用の薬剤の場合、服薬する時の注意事項等を表示することによって、服用者に注意を促すことができる。補助底板４８、補助背板５０及び補助天板５２の表示は、各板の表面側（箱体形成片１８の表面側）に設ければよいので、他の板の表示と一緒に印刷できる。
【００４０】
なお、本考案の包装箱は、上記実施形態に限定されるものではない。例えば、上記の包装箱１０の場合、再封時、外前面板２０の蓋領域２０ａの端部に設けた開封部４２を内前面板２８の再封用係合部４４に差し込んで蓋片１６を閉じた状態に保持させる構造になっているが、この構造は他の構造に変更してもよい。例えば、再封用係合部４４を省略し、蓋領域２０ａを内前面板２８の内面側に差し込んで係止する構造にすることができる。
【００４１】
補助底板、補助背板及び補助天板の大きさや形状は、包装箱１０と同様の開封動作や再封動作が可能な範囲で自由に変更することができる。蓋部の形状や大きさについても同様である。
【００４２】
また、蓋部は、天面板及び外側面板に跨るように設けてもよいし、天面板の内側に収まるように設けてもよい。例えば、後者のようにすると、前面板は、外前面板と内前面板とを重ねた２重構造にする必要はなく、１つの板で構成することが可能になる。
【００４３】
本考案の包装箱は、補助底板の一端部を前面板の一端部（底面側の一端部）に位置決めすることが必要になるが、上記の包装箱１０の場合、一枚の箱体形成片１８で容易に実現するため、補助底板４８の一端部と内前面板２８の一端部とを位置決め板４６で連結する構造を採用している。しかし、包装箱１０の構造はあくまでも一例であり、補助底板の一端部を位置決めする手段は、包装箱１０と異なる手段を使用してもよい。
【００４４】
上記の包装箱１０の再封動作の説明の中で、添付書類TSを補助天板５２の一対のスリット６６に差し込んで保持させることを説明したが、添付書類TSは元の収容部１０６の中に戻してもよいことは言うまでもなく、添付書類TSをどこに戻すかは使用者が自由に選択することができる。なお、スリットは、包装箱の中に添付書類TSが入れられない場合（収容物SBだけが入れられる場合）等は省略すればよい。
【００４５】
その他、筒体の両端を閉鎖する側壁部は、上記の側壁部１４ａ．１４ｂの構造に限定されず、包装箱の用途や組み立てやすさに鑑みて自由に変更することができる。また、箱体や収容部の大きさ（高さ、幅、奥行き）は、収容物の大きさに合わせて適宜変更することができる。
【符号の説明】
【００４６】
１０  包装箱
１２  筒体
１４ａ，１４ｂ  側壁部
１６  蓋部
１８  箱体形成片
２０  外前面板（前面板）
２０ａ  蓋領域（蓋部）
２２  天面板
２２ａ  蓋領域（蓋部）
２４  背面板
２６  底面板
２８  内前面板（前面板）
３８  開封用破断線
４２  開封部
４４  再封用係合部
４８  補助底板
５０  補助背板
５２  補助天板
６６  一対のスリット
１００，１０２，１０４  糊
１０６  収容部
ＳＢ  収容物
ＴＳ  添付書類
【図１】
0003235369.tif 000003
【図２】
0003235369.tif 000004
【図３】
0003235369.tif 000005
【図４】
0003235369.tif 000006
【図５】
0003235369.tif 000007
【図６】
0003235369.tif 000008
【図７】
0003235369.tif 000009